(57)【特許請求の範囲】
【請求項１】
移動体に搭載された受電装置と、１以上の充電ステーションに設置された１以上の送電装置とを備える非接触給電システムに関する情報を提供する情報提供システムであって、
前記充電ステーションの位置情報と該充電ステーションの前記送電装置との対応を示すステーション情報を記憶するステーション記憶部と、前記受電装置が過去に利用した１以上の前記送電装置を示す利用履歴を記憶する履歴記憶部とを参照することで、前記受電装置へ給電可能な前記送電装置が設置された前記充電ステーションの位置情報を抽出する検索部と、
前記検索部により抽出された充電ステーションの位置情報を出力する出力部と
を備え、
前記利用履歴が各送電装置の給電性能の実績値をさらに示し、該給電性能の実績値が、給電に成功した際の、前記送電装置と前記受電装置との位置のずれ量を示す許容位置ずれ量と、給電に失敗した回数の割合を示すエラー確率とのうちの少なくとも一つを含み、
前記検索部が、前記給電性能の実績値が基準値を満たす前記送電装置が設置された前記充電ステーションの位置情報を抽出する、
情報提供システム。
【請求項２】
前記ステーション情報が、各充電ステーションでの給電に関する価格またはサービスを更に示し、
前記検索部が、前記受電装置へ給電可能な前記送電装置が設置され、かつ前記価格および前記サービスの少なくとも一つが基準値を満たす前記充電ステーションの位置情報を抽出する、
請求項１に記載の情報提供システム。
【請求項３】
前記給電性能の実績値が前記許容位置ずれ量を少なくとも含み、
前記検索部が、前記許容位置ずれ量が第１閾値以上である前記送電装置が設置された前記充電ステーションの位置情報を抽出する、
請求項１または２に記載の情報提供システム。
【請求項４】
前記給電性能の実績値が前記エラー確率を少なくとも含み、
前記検索部が、前記エラー確率が第２閾値未満である前記送電装置が設置された前記充電ステーションの位置情報を抽出する、
請求項１〜３のいずれか一項に記載の情報提供システム。
【請求項５】
前記出力部が、前記抽出された充電ステーションの位置情報を地図上に表示する、
請求項１〜４のいずれか一項に記載の情報提供システム。
【請求項６】
前記出力部が、前記抽出された充電ステーションの位置情報のうち、前記移動体が到達可能な充電ステーションの位置情報のみを表示する、
請求項５に記載の情報提供システム。
【請求項７】
前記出力部が、前記移動体が到達可能な充電ステーションの個数が第３閾値以下になった場合に、該移動体の現在位置から一番近い充電ステーションへの経路を表示する、
請求項６に記載の情報提供システム。
【請求項８】
１以上の充電ステーションに設置された１以上の送電装置を備える非接触給電システムにおいて前記送電装置から給電を受けることが可能な、移動体に搭載された受電装置であって、
前記受電装置を特定する受電装置ＩＤを記憶するＩＤ記憶部と、
前記非接触給電システムに関する情報を提供する情報提供システムに前記受電装置ＩＤを出力するＩＤ提供部と
を備え、
前記情報提供システムが、
前記充電ステーションの位置情報と該充電ステーションの前記送電装置との対応を示すステーション情報を記憶するステーション記憶部と、前記受電装置が過去に利用した１以上の前記送電装置を示す利用履歴を記憶する履歴記憶部とを、前記ＩＤ提供部から出力された前記受電装置ＩＤを用いて、参照することで、前記受電装置へ給電可能な前記送電装置が設置された前記充電ステーションの位置情報を抽出し、
前記抽出された充電ステーションの位置情報を出力し、
前記利用履歴が各送電装置の給電性能の実績値をさらに示し、該給電性能の実績値が、給電に成功した際の、前記送電装置と前記受電装置との位置のずれ量を示す許容位置ずれ量と、給電に失敗した回数の割合を示すエラー確率とのうちの少なくとも一つを含み、
前記情報提供システムが、前記給電性能の実績値が基準値を満たす前記送電装置が設置された前記充電ステーションの位置情報を抽出する、
受電装置。
【請求項９】
移動体に搭載された受電装置と、１以上の充電ステーションに設置された１以上の送電装置とを備える非接触給電システムに関する情報を提供するコンピュータシステムにより実行される情報提供方法であって、
前記充電ステーションの位置情報と該充電ステーションの前記送電装置との対応を示すステーション情報を記憶するステーション記憶部と、前記受電装置が過去に利用した１以上の前記送電装置を示す利用履歴を記憶する履歴記憶部とを参照することで、前記受電装置へ給電可能な前記送電装置が設置された前記充電ステーションの位置情報を抽出する検索ステップと、
前記検索ステップにおいて抽出された充電ステーションの位置情報を出力する出力ステップと
を含み、
前記利用履歴が各送電装置の給電性能の実績値をさらに示し、該給電性能の実績値が、給電に成功した際の、前記送電装置と前記受電装置との位置のずれ量を示す許容位置ずれ量と、給電に失敗した回数の割合を示すエラー確率とのうちの少なくとも一つを含み、
前記検索ステップでは、前記給電性能の実績値が基準値を満たす前記送電装置が設置された前記充電ステーションの位置情報を抽出する、
情報提供方法。
【請求項１０】
移動体に搭載された受電装置と、１以上の充電ステーションに設置された１以上の送電装置とを備える非接触給電システムに関する情報を提供する情報提供システムとしてコンピュータを機能させる情報提供プログラムであって、
前記充電ステーションの位置情報と該充電ステーションの前記送電装置との対応を示すステーション情報を記憶するステーション記憶部と、前記受電装置が過去に利用した１以上の前記送電装置を示す利用履歴を記憶する履歴記憶部とを参照することで、前記受電装置へ給電可能な前記送電装置が設置された前記充電ステーションの位置情報を抽出する検索部と、
前記検索部により抽出された充電ステーションの位置情報を出力する出力部と、
として前記コンピュータを機能させ、
前記利用履歴が各送電装置の給電性能の実績値をさらに示し、該給電性能の実績値が、給電に成功した際の、前記送電装置と前記受電装置との位置のずれ量を示す許容位置ずれ量と、給電に失敗した回数の割合を示すエラー確率とのうちの少なくとも一つを含み、
前記検索部が、前記給電性能の実績値が基準値を満たす前記送電装置が設置された前記充電ステーションの位置情報を抽出する、
情報提供プログラム。
【発明の詳細な説明】
【技術分野】
【０００１】
本発明の一側面は、充電ステーションの位置を出力する情報提供システム、受電装置、情報提供方法、および情報提供プログラムに関する。
【背景技術】
【０００２】
従来から、充電式バッテリを動力源の少なくとも一部として備える移動体（例えば電気自動車）が知られている。このような移動体は、バッテリの残量が少なくなると充電ステーションで給電を受ける必要がある。これに関連して、移動体のユーザをその充電ステーションに案内する仕組みが知られている。
【０００３】
例えば、下記特許文献１には、充電ステーションの位置を特定するシステムが記載されている。このシステムは、コネクタが充電ステーションに接続された時の車両の位置に基づいて充電ステーションの位置を判定する位置判定システムと、充電ステーションの位置をリモート充電ステーションデータベースに送信する送信装置とを備える車両を含む。
【０００４】
また、下記特許文献２には、電動輸送機器が到達可能な充電スタンドを検出して表示するための充電スタンド表示システムが記載されている。このシステムでは、管理サーバが、電動輸送機器の位置および電池残量を取得し、その位置に対応する走行履歴データをデータ管理部から取得し、その走行履歴データと、電池残量と、複数の充電スタンドの位置を管理する充電スタンド位置情報とに基づいて表示情報を生成し、表示情報を表示端末に送信する。
【先行技術文献】
【特許文献】
【０００５】
【特許文献１】特表２０１３−５４３９７９号公報
【特許文献２】特開２０１３−１０４６８０号公報
【発明の概要】
【発明が解決しようとする課題】
【０００６】
しかしながら、非接触給電システムでは、送電装置および受電装置の構成または設置態様などの様々な要因により給電性能が変化し得る。例えば、この給電性能は、送電装置および受電装置それぞれのコイル間の距離、あるいは、送電装置および受電装置を構成する回路素子の定数の組合せにより変化し得る。したがって、単に充電ステーションを提示するのではなく、移動体に搭載された受電装置との相性が良い送電装置を有する充電ステーションを提示する方が、移動体のユーザにとって好ましい。一方で、あるユーザは、給電性能以外の要素によって充電ステーションを選びたいかもしれない。これらの点に鑑み、非接触給電システムを用いる移動体のユーザの要求に合致する充電ステーションを提示することができれば便利である。
【課題を解決するための手段】
【０００７】
本発明の一側面に係る情報提供システムは、移動体に搭載された受電装置と、１以上の充電ステーションに設置された１以上の送電装置とを備える非接触給電システムに関する情報を提供する情報提供システムであって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索部と、検索部により抽出された充電ステーションの位置情報を出力する出力部とを備える。
【０００８】
本発明の一側面に係る情報提供方法は、移動体に搭載された受電装置と、１以上の充電ステーションに設置された１以上の送電装置とを備える非接触給電システムに関する情報を提供するコンピュータシステムにより実行される情報提供方法であって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索ステップと、検索ステップにおいて抽出された充電ステーションの位置情報を出力する出力ステップとを含む。
【０００９】
本発明の一側面に係る情報提供プログラムは、移動体に搭載された受電装置と、１以上の充電ステーションに設置された１以上の送電装置とを備える非接触給電システムに関する情報を提供する情報提供システムとしてコンピュータを機能させる情報提供プログラムであって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索部と、検索部により抽出された充電ステーションの位置情報を出力する出力部と、としてコンピュータを機能させる。
【００１０】
このような側面においては、受電装置が過去に利用した送電装置、すなわちユーザが過去に選択した送電装置が設置された充電ステーションの位置情報が抽出される。したがって、非接触給電システムを用いる移動体のユーザの要求に合致する充電ステーションを提示することが可能になる。
【００１１】
他の側面に係る情報提供システムでは、ステーション情報が、各充電ステーションでの給電に関する価格またはサービスを更に示し、検索部が、受電装置へ給電可能な送電装置が設置され、かつ価格およびサービスの少なくとも一つが基準値を満たす充電ステーションの位置情報を抽出してもよい。一般に、給電のサービスを受ける際の価格またはサービスは移動体の利用者にとっての関心事である。したがって、価格またはサービスが基準値を満たす充電ステーションの位置情報をユーザに提供することで、情報提供システムの利便性が向上すると期待できる。
【００１２】
他の側面に係る情報提供システムでは、利用履歴が、各送電装置の給電性能の実績値をさらに示し、検索部が、給電性能の実績値が基準値を満たす送電装置が設置された充電ステーションの位置情報を抽出してもよい。上述したように、非接触給電システムの給電性能は様々な要因により変動し得る。したがって、給電性能が一定の基準を満たす送電装置を有する充電ステーションの位置情報を提供することで、情報提供システムの利便性が向上すると期待できる。
【００１３】
他の側面に係る情報提供システムでは、出力部が、抽出された充電ステーションの位置情報を地図上に表示してもよい。位置情報を地図上に表示することで、充電ステーションの位置をユーザに分かりやすく伝えることができる。
【００１４】
他の側面に係る情報提供システムでは、出力部が、抽出された充電ステーションの位置情報のうち、移動体が到達可能な充電ステーションの位置情報のみを表示してもよい。移動体が到達できる充電ステーションのみを表示することで、移動体のバッテリ切れをより確実に回避することが可能になる。
【００１５】
他の側面に係る情報提供システムでは、出力部が、移動体が到達可能な充電ステーションの個数が閾値以下になった場合に、該移動体の現在位置から一番近い充電ステーションへの経路を表示してもよい。到達可能な充電ステーションの数が少なくなった際に、一番近い充電ステーションへの経路を案内することで、移動体のバッテリ切れをより確実に回避することが可能になる。
【００１６】
本発明の一側面に係る受電装置は、１以上の充電ステーションに設置された１以上の送電装置を備える非接触給電システムにおいて送電装置から給電を受けることが可能な、移動体に搭載された受電装置であって、受電装置を特定する受電装置ＩＤを記憶するＩＤ記憶部と、非接触給電システムに関する情報を提供する情報提供システムに受電装置ＩＤを出力するＩＤ提供部とを備え、情報提供システムが、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを、ＩＤ提供部から出力された受電装置ＩＤを用いて、参照することで、受電装置へ給電可能な送電装置が設置された充電ステーションの位置情報を抽出し、抽出された充電ステーションの位置情報を出力する。
【００１７】
このような側面においては、受電装置が過去に利用した送電装置、すなわちユーザが過去に選択した送電装置が設置された充電ステーションの位置情報が抽出されるので、ユーザの要求に合致する充電ステーションを提示することが可能になる。また、受電装置ＩＤを用いることで、受電装置との相性が良いと推定される送電装置を確実に特定することが期待できる。
【発明の効果】
【００１８】
本発明の一側面によれば、非接触給電システムを用いる移動体のユーザの要求に合致する充電ステーションを提示することができる。
【図面の簡単な説明】
【００１９】
【図１】実施形態に係る情報提供システムの適用場面を模式的に示す図である。
【図２】実施形態に係る情報提供システムで用いられる端末のハードウェア構成を示す図である。
【図３】第１実施形態に係る情報提供システムの機能構成を示すブロック図である。
【図４】ステーションテーブルの例を示す図である。
【図５】装置テーブルの例を示す図である。
【図６】履歴記憶部の例を示す図である。
【図７】充電ステーションの位置情報の表示例を示す図である。
【図８】充電ステーションの位置情報の表示例を示す図である。
【図９】第２実施形態に係る情報提供システムの機能構成を示すブロック図である。
【図１０】第３実施形態に係る情報提供システムの機能構成を示すブロック図である。
【図１１】履歴テーブルの例を示す図である。
【図１２】第４実施形態に係る情報提供システムの機能構成を示すブロック図である。
【図１３】第１〜第４実施形態に係る情報提供システムの動作を示すフローチャートである。
【図１４】実施形態に係る情報提供プログラムの構成を示す図である。
【発明を実施するための形態】
【００２０】
以下、添付図面を参照しながら本発明の実施形態を詳細に説明する。なお、図面の説明において同一又は同等の要素には同一の符号を付し、重複する説明を省略する。
【００２１】
（第１実施形態）
図１〜８を用いて、第１実施形態に係る情報提供システム１の機能および構成を説明する。情報提供システム１は、充電式バッテリ（以下では単に「バッテリ」という）を動力源の少なくとも一部として備える移動体のユーザに充電ステーションの位置を案内するコンピュータシステムである。
【００２２】
本明細書における「移動体」とは、人または物をある場所から別の場所へ輸送する機器である。本実施形態では移動体の例として電気自動車を示すが、移動体の種類は何ら限定されるものではなく、例えばバイク、自転車、電車、水上航走体、水中航走体、飛行機でもよい。したがって、移動体が進む経路は陸路でも水路でも空路でもよい。
【００２３】
本明細書における「移動体のユーザ」（以下では単に「ユーザ」ともいう）とは、充電ステーションの位置を知ろうとする人である。ユーザは移動体の運転手または操縦者であってもよいし、移動体の搭乗者であってもよいし、移動体に搭乗していない人であってもよい。
【００２４】
本明細書における「充電ステーション」は、移動体のバッテリを充電できる場所である。移動体の種類が限定されないので充電ステーションが設けられる位置も限定されない。例えば、充電ステーションは道路沿い、港、空港などに設置され得る。
【００２５】
図１に情報提供システム１の構成を模式的に示す。この図に示すように、情報提供システム１は、ユーザに対して充電ステーションの位置を表示する端末１０と、その表示に必要な情報を記憶するデータベース２０とを備える。図１では端末１０を一つしか示していないが、情報提供システム１は複数の端末１０を備えてもよい。端末１０とデータベース２０とは通信ネットワークＮを介して互いにデータを送受信することができる。なお、通信ネットワークＮの構成は何ら限定されるものでなく、インターネットやイントラネットなどの任意の通信網で通信ネットワークＮを構築してよい。
【００２６】
図１は、非接触給電システム９０の構成も模式的に示す。非接触給電システム９０は、送電装置９１と受電装置９２とを備え、磁界共鳴方式や電磁誘導方式などのコイル間の磁気結合を利用して送電装置９１から受電装置９２に非接触で電力を供給するためのシステムである。送電装置９１は送電電力変換装置（例えば整流回路やＤＣ／ＤＣコンバータ、インバータ回路など）９１ａおよび送電コイル装置９１ｂを備え、充電ステーションの敷地内に設置される。受電装置９２は受電コイル装置９２ａおよび受電電力変換装置（例えば整流回路やＤＣ／ＤＣコンバータなど）９２ｂを備え、移動体Ｖに搭載される。受電装置９２に送られた電力は移動体Ｖのバッテリ９３に蓄積される。
【００２７】
端末１０として用いられるコンピュータの種類は限定されず、また、端末１０は移動体Ｖに搭載されてもされなくてもよい。例えば、端末１０はカーナビゲーションシステムでもよいし、高機能携帯電話機（スマートフォン）や携帯電話機、携帯情報端末（ＰＤＡ）、タブレット、ラップトップパソコンなどの携帯端末でもよい。端末１０が移動体Ｖに搭載されない場合には、その端末１０は移動体Ｖ内のシステムと接続可能であってもよいし接続しなくてもよい。
【００２８】
端末１０の一般的なハードウェア構成を図２に示す。端末１０は、オペレーティングシステムやアプリケーション・プログラムなどを実行するＣＰＵ（プロセッサ）１０１と、ＲＯＭ及びＲＡＭで構成される主記憶部１０２と、ハードディスクやフラッシュメモリなどで構成される補助記憶部１０３と、ネットワークカードあるいは無線通信モジュールで構成される通信制御部１０４と、キーボードやマウス、タッチパネルなどの入力装置１０５と、ディスプレイやタッチパネルなどの出力装置１０６とを備える。当然ながら、搭載されるハードウェアモジュールは端末１０の種類により異なる。例えば、ＰＣは入力装置および出力装置としてキーボード、マウス、およびモニタを備えることが多い。一方、カーナビゲーションシステムおよびスマートフォンではタッチパネルが入力装置および出力装置として機能することが多い。
【００２９】
後述する端末１０の各機能要素は、ＣＰＵ１０１または主記憶部１０２の上に所定のソフトウェアを読み込ませ、ＣＰＵ１０１の制御の下で通信制御部１０４や入力装置１０５、出力装置１０６などを動作させ、主記憶部１０２または補助記憶部１０３におけるデータの読み出し及び書き込みを行うことで実現される。処理に必要なデータまたはデータベースは主記憶部１０２または補助記憶部１０３内に格納される。
【００３０】
データベース２０は、ステーションテーブル２１および装置テーブル２２を記憶する。
【００３１】
ステーションテーブル２１は、各充電ステーションに設置された送電装置を示すステーション情報の集合である。ステーションテーブル２１の実装方法は限定されず、例えば、ステーションテーブル２１は関係データベースでもよいしＣＳＶファイルでもよい。ステーション情報は、充電ステーションが新設、改築、または閉鎖されたり、充電ステーション内の送電装置が新設、変更、または撤去されたりした際に、情報提供システム１の管理者により新規登録、更新、または削除される。
【００３２】
図４にステーション情報の例を示す。ステーション情報の各レコードは、充電ステーションの名称および位置と、その充電ステーションに設置されている１種類以上の送電装置のＩＤおよび台数と、送電装置ＩＤ毎の混雑度（何台空いているかを示す数値）と、その充電ステーションにおける給電の単価と、その充電ステーションで現在実施されているキャンペーンとを含む。
【００３３】
充電ステーションの位置の表現方法は、ユーザにその位置を伝達できるのであれば何ら限定されない。例えば、充電ステーションの位置を住所で表してもよいし、緯度経度で表してもよいし、これらの双方で表してもよい。図４の例では位置を住所で示している。
【００３４】
送電装置ＩＤは、一台一台の送電装置を識別するためではなく送電装置の型を特定するための識別子である。したがって、送電装置ＩＤの概念はシリアル番号というよりは型番に近い。例えば、仕様が同一である複数の送電装置に同じ送電装置ＩＤが割り当てられることもあれば、仕様が完全に同じではないが同じ製品グループに属する複数種類の送電装置に同じ送電装置ＩＤが割り当てられることもあり得る。したがって、詳細な仕様の異同にかかわらず、ある一つのメーカの複数種類の送電装置に同じ送電装置ＩＤが割り当てられてもよい。このように、送電装置に対するＩＤの割当方法は任意に定めてよい。あるいは、同じ型番の複数の装置の個体差を考慮して、送電装置ＩＤは、一台一台の送電装置を識別するもの（例えば、シリアル番号）であってもよい。
【００３５】
混雑度は、現在空いている送電装置の台数または割合を示す数値である。この混雑度は、例えば、送電装置９１が給電の開始および終了を示す信号をなんらかのサーバ（図示せず）に送信し、そのサーバがその信号に基づいて対応するステーション情報のレコードを更新することで、設定される。もちろん、混雑度の設定方法はこれに限定されず、任意の手法を用いてよい。
【００３６】
単価は、充電ステーションでの給電に関する価格の一種である。本明細書における「給電に関する価格」とは、充電ステーションで移動体が給電を受けることに伴って該充電ステーションに支払われる金銭的価値を示す値である。給電に関する価格は単価で示されてもよいし他の指標により示されてもよい。
【００３７】
キャンペーンは、充電ステーションでの給電に関するサービスの一種である。本明細書における「給電に関するサービス」とは、充電ステーションで移動体が給電を受けることに伴ってユーザに提供される特典である。本実施形態ではそのサービスとしてキャンペーンを例示するが、サービスの表現方法はこれに限定されない。また、キャンペーンの内容も限定されない。例えば、割引に関する情報（「現金会員は３％割引」など）でもよいし、ポイント付与に関する情報（「付与ポイントが２倍」など）でもよいし、景品の提供に関する情報（「タオルをプレゼント」など）でもよい。更に、キャンペーンの内容は、同一の送電装置又は同一のメーカの送電装置を利用し続けることによりユーザが得られる特典であってもよい。
【００３８】
図４から、例えば、充電ステーションＡにはＩＤが「１１１」「１１４」である送電装置が２台ずつ設置され、ＩＤが「１１２」「１１３」である送電装置が１台ずつ設置されていることが分かる。また、充電ステーションＢには、一種類の送電装置のみ（送電装置ＩＤが「１１１」）が４台設置されていることがわかる。また、充電ステーションＣでは、送電装置ＩＤ「１１２」については空きがないが、送電装置ＩＤ「１１７」については２台とも空いていることがわかる。
【００３９】
装置テーブル２２は、受電装置および送電装置の間の給電可能な組合せを示す装置対応情報の集合である。装置テーブル２２の実装方法は限定されず、例えば装置テーブル２２は関係データベースでもよいしＣＳＶファイルでもよい。装置対応情報は、例えば新たな受電装置または送電装置が市場に登場したり市場から無くなったりした際に、情報提供システム１の管理者により新規登録、更新、または削除される。受電装置および送電装置の間の給電可能な組合せは、例えば、仕様書もしくは使用マニュアル等に記載され得るような公称としての互換性や、実際の使用実績に基づく互換性等により定まる。なお、市場に流通するすべての受電装置と送電装置との間に何らかの互換性がある場合には、受電装置と送電装置とのいずれの組合せでも給電が可能であるため、この場合には装置テーブル２２は省略可能である。
【００４０】
図５に装置対応情報の例を示す。装置対応情報の各レコードは、受電装置のＩＤと、その受電装置に対する給電が可能な１種類以上の送電装置のＩＤとを含む。受電装置ＩＤは、送電装置ＩＤと同様に、一台一台の受電装置を識別するためではなく受電装置の型を特定するための識別子である。したがって、受電装置ＩＤの概念も型番に近い。一つの受電装置ＩＤをどの種類の受電装置に割り当てるかという点も、送電装置ＩＤの場合と同様に考えることができる。
【００４１】
図５から、例えば、ＩＤが「２０１」である受電装置には、ＩＤが「１１１」、「１１２」、「１１３」、「１１４」、「１１５」、または「１１６」である送電装置が対応することがわかる。また、ＩＤが「２０２」である受電装置には、ＩＤが「１１１」、「１１５」、または「１１６」である送電装置が対応することがわかる。
【００４２】
なお、ステーションテーブル２１および装置テーブル２２の構成は図４及び図５の例に限定されない。例えば、ステーション情報または装置対応情報に他の項目を加えてもよいし、必要に応じて図４または図５に示す項目の一部を省略してもよい。また、これらのデータベースに対して任意の正規化または冗長化を行ってもよい。例えば、各送電装置ＩＤに対応する受電装置ＩＤの項目をステーション情報に含めることで装置テーブル２２を省略することが可能である。あるいは、ステーション情報が、送電装置の設置場所が屋内か屋外を示す項目を含んでもよい。また、装置テーブル２２のレコードが、一つの送電装置ＩＤと、その送電装置ＩＤに対応する１種類以上の受電装置ＩＤとを含むものであってもよい。
【００４３】
本実施形態では、端末１０は受電装置９２と通信することで受電装置９２から必要な情報を得る。そこで端末１０について詳細に説明する前に受電装置９２の機能構成を説明する。図３に示すように、受電装置９２は機能的構成要素としてＩＤ記憶部９２１およびＩＤ提供部９２２を備える。
【００４４】
ＩＤ記憶部９２１は、受電装置９２のＩＤを記憶する機能要素であり、メモリにより実現される。上述した通り、受電装置ＩＤは、個々の受電装置を識別するためではなく受電装置の型を特定するための識別子である。
【００４５】
ＩＤ提供部９２２は、端末１０に受電装置ＩＤを提供する機能要素であり、プロセッサが受電装置９２にインストールされた所定のプログラムを実行することで実現される。ＩＤ提供部９２２は端末１０から要求信号を受信すると、ＩＤ記憶部９２１から受電装置ＩＤを読み出し、その受電装置ＩＤを端末１０に送信する。なお、端末１０と受電装置９２との間の通信方法は限定されない。例えば、端末１０と受電装置９２との間の通信はＣＡＮ（Ｃｏｎｔｒｏｌｌｅｒ  Ａｒｅａ  Ｎｅｔｗｏｒｋ）などの車載ネットワーク規格に従ってもよいし、他の通信プロトコル（例えば、通信ネットワークＮと同様のプロトコル）に従ってもよい。なお、受電装置９２（ＩＤ提供部９２２）は、端末１０と通信接続が確立された場合に、端末１０から要求がなくても端末１０に受電装置ＩＤを提供してもよい。
【００４６】
次に、端末１０の機能構成を説明する。図３に示すように、端末１０は機能的構成要素として履歴記憶部１１、検索部１２、および出力部１３を備える。
【００４７】
履歴記憶部１１は、受電装置９２が過去に利用した送電装置９１（言い換えると、ユーザまたは移動体Ｖが過去に選択した送電装置９１）を示す利用履歴を記憶する機能要素である。受電装置９２が過去に利用した送電装置９１とは、過去に受電装置９２に対して非接触給電を行った送電装置９１を意味する。履歴記憶部１１はメモリなどの記憶媒体により実現される。本実施形態では履歴記憶部１１が端末１０内に設けられるものとするが、履歴記憶部１１は端末１０の外に設けられていてもよい。端末１０の外部に履歴記憶部１１が用意される場合には、端末１０は通信ネットワークを介して履歴記憶部１１にアクセスしてもよいし、ＵＳＢメモリやＤＶＤ−ＲＯＭなどの記憶媒体に保存された履歴記憶部１１を読み取ってもよい。履歴記憶部１１の実装方法は限定されず、例えば履歴記憶部１１は関係データベースでもよいしＣＳＶファイルでもよい。
【００４８】
利用履歴は、非接触給電システム９０において給電が完了した際に端末１０により新規登録または更新される。例えば、端末１０が非接触給電システム９０（より具体的には送電装置９１または受電装置９２）から送電装置ＩＤと給電性能に関する結果を取得し、その情報に基づいて利用履歴を新規登録または更新する。なお、端末１０はある送電装置ＩＤに関する利用履歴を初めて登録する際に、その送電装置ＩＤを利用履歴として登録するか否かをユーザに問い合わせ、ユーザが「登録」を選択した場合に限ってその送電装置ＩＤに関する利用履歴を新規登録してもよい。このようにユーザへの問合せを行うことで、ユーザは所望の送電装置が存在する充電ステーションに限って案内を受けることが可能になる。
【００４９】
図６に利用履歴の例を示す。利用履歴の各レコードは、給電に用いられた送電装置のＩＤと、その送電装置の給電性能の実績値とを含む。本明細書における「送電装置の給電性能」とは、非接触給電システムで行われた給電に関する物理量から得られる、送電装置の性質または能力を示す指標である。また、「給電性能の実績値」とは、実際に行われた給電の結果から得られる数値を意味する。本実施形態では給電性能として、電力効率（％）、平均充電量（ｋＷ・ｓ）、および許容位置ずれ量（ｍｍ）のそれぞれについての過去の平均値と、エラー確率（％）とを示す。しかし、給電性能を示す値はこれらに限定されず、他の指標が用いられてもよい。
【００５０】
電力効率は、送電装置９１内の所定の箇所での電力に対する、受電装置９２内の所定の箇所での電力の割合である。例えば、電力効率は、送電装置９１のインバータ回路での電力に対する、バッテリ９３に供給される電力の割合でもよいし、商用電源から送電装置９１に供給される電力に対する、バッテリに供給される電力の割合でもよい。送電装置９１と受電装置９２との組合せが変わると非接触給電システム９０全体のインピーダンスも変わるので、一つの受電装置における電力効率は送電装置ＩＤごとに異なり得る。また、非接触給電システム９０全体のインピーダンスは、同じ送電装置９１と受電装置９２との組合せであっても、送電装置９１と受電装置９２との位置関係によっても変わり得る。
【００５１】
平均充電量は、一回の給電（給電の開始から終了の間）における充電量の平均値である。平均充電量の計算方法は限定されない。例えば、平均充電量は、給電中に所定の時間間隔で得られる瞬間充電量の平均値でもよいし、総充電量を充電時間で割って得られる値であってもよい。非接触給電システム９０内では、各素子または素子間のケーブルの抵抗成分等で熱損失が発生する。この熱により非接触給電システム９０の各装置で温度上昇が生じ、素子の特性（例えば、送電側および受電側のパッドのコイルの特性）が変わる。温度上昇は、発生した熱の蓄積により時間的に変化するものであるため、平均充電量も変わり得る。
【００５２】
エラー確率は、同じＩＤの送電装置を利用した回数のうち給電に失敗した回数の割合である。例えば、過去に、あるＩＤの送電装置で給電を２０回試みてそのうち１回給電に失敗した場合には、その送電装置についてのエラー確率は５％である。給電に失敗する要因としては、過電圧、過電流、温度の異常、電力効率の異常、送電装置と受電装置との間の通信異常、送電装置または受電装置の内部のハードウェアまたはソフトウェアの異常が挙げられる。同じＩＤの送電装置または同じＩＤの受電装置であっても、個々の装置の間で素子のばらつきがあり得、これにより給電が成功したり失敗したりし得る。また、送電装置および受電装置の組合せや給電環境などによっても給電が成功したり失敗したりし得る。
【００５３】
許容位置ずれ量は、給電に成功した際の、送電装置および受電装置との位置のずれ量である。このずれ量は、非接触給電システム（より具体的には送電装置または受電装置）から取得することが可能である。このずれ量は、移動体の前後方向に沿ったずれ量でもよいし、移動体の幅方向（前後方向と直交する方向）に沿ったずれ量でもよいし、これら２方向のずれ量から算出される値でもよい。なお、図６では、これら２方向のうちのいずれかのずれ量のみが記載されているとする。
【００５４】
図６から、例えば、移動体が給電を受けた送電装置のＩＤが「１１１」「１１２」「１１４」「１１６」であることが分かる。また、電力効率の観点からみると、ＩＤが「１１４」の送電装置が最も良く、平均充電量の観点からみると、ＩＤが「１１２」の送電装置が最も良いことがわかる。また、エラー確率の観点からみると、ＩＤが「１１６」の送電装置が最も良く、許容位置ずれ量の観点からみると、ＩＤが「１１１」の送電装置が最も良いことがわかる。
【００５５】
なお、履歴記憶部１１の構成は図６の例に限定されない。例えば、利用履歴に他の項目を加えてもよいし、必要に応じて図６に示す項目の一部を省略してもよいし、利用履歴に対して任意の正規化または冗長化を行ってもよい。例えば、利用履歴はエラー確率に代えて成功率を含んでもよい。また、図６では送電装置ＩＤごとにレコードを生成しているが、給電が行われる度に新しいレコードが履歴記憶部１１に記録されてもよい。この場合には、給電が行われた日時が利用履歴の項目として追加され、電力効率、平均充電量、および位置ずれ量の欄には一回一回の給電での結果が示される。また、エラー確率に代えて、給電が成功したか否かを示すエラーフラグが利用履歴の項目として設定される。電力効率の平均値、平均充電量の平均値、およびエラー確率は、同じ送電装置ＩＤのレコードを集計することで得られる。
【００５６】
検索部１２は、受電装置９２が給電を受けることが可能な送電装置９１が設置された充電ステーションを抽出する機能要素である。検索部１２は、ＣＰＵ１０１が端末１０にインストールされた情報提供プログラムを実行して、主記憶部１０２または補助記憶部１０３に対するデータの読み書きを行い、通信制御部１０４を制御することで実現される。検索部１２は必要に応じて入力装置１０５および出力装置１０６も制御する。検索部１２の起動タイミングは限定されない。例えば、検索部１２は、ユーザが端末１０のユーザ・インタフェース（例えば、端末１０に表示された画面）を介して入力した指示に基づいて一連の処理を開始してもよいし、端末１０内の他の機能要素（図示せず）から受け付けた指示信号に基づいて始動してもよい。
【００５７】
まず、検索部１２は、受電装置ＩＤを取得するための要求信号を生成してこの信号を受電装置９２に送信し、この要求信号に応じて受電装置９２から送られてきた受電装置ＩＤを受信する。続いて、検索部１２は通信ネットワークＮを介してデータベース２０にアクセスし、取得した受電装置ＩＤに対応する１以上の送電装置ＩＤを装置テーブル２２から抽出する。この処理により、受電装置９２に対応する送電装置９１が特定される。例えば、装置テーブル２２が図５に示すデータを記憶しているとして、検索部１２が受電装置ＩＤ「２０３」で装置テーブル２２を検索した場合には、検索部１２は送電装置ＩＤ「１１１」「１１２」「１１３」「１１４」を装置テーブル２２から抽出する。なお、受電装置と送電装置との全ての組合せにおいて互換性がある場合には、検索部１２は、装置テーブル２２にアクセスすることなく、受電装置９２にはいずれの送電装置９１も対応すると判断することができる。
【００５８】
検索部１２は、抽出した送電装置ＩＤをそのまま用いて充電ステーションを検索してもよい。あるいは、検索部１２は、履歴記憶部１１を参照して、抽出した送電装置ＩＤから１以上の送電装置ＩＤを選択し、選択した送電装置ＩＤのみを用いて充電ステーションを検索してもよい。以下に、履歴記憶部１１を参照して送電装置ＩＤを選択する手法を説明する。
【００５９】
検索部１２は、装置テーブル２２から抽出した１以上の送電装置ＩＤのうち、履歴記憶部１１に記憶されている送電装置ＩＤのみを選択し、履歴記憶部１１に記憶されていない送電装置ＩＤを破棄してもよい。これは、過去に利用したことがある送電装置ＩＤのみを充電ステーションの検索に用いることを意味する。例えば、装置テーブル２２が図５に示すデータを記憶し、履歴記憶部１１が図６に示すデータを記憶しているとする。この条件下で検索部１２が受電装置ＩＤ「２０３」を取得した場合には、検索部１２はまず送電装置ＩＤ「１１１」「１１２」「１１３」「１１４」を装置テーブル２２から抽出する。続いて、検索部１２はこれら４個の送電装置ＩＤと履歴記憶部１１内に記憶されている送電装置ＩＤとを比較することで、送電装置ＩＤ「１１３」を破棄し、送電装置ＩＤ「１１１」「１１２」「１１４」のみを選択する。
【００６０】
検索部１２は、履歴記憶部１１を参照して、給電性能が基準値を満たす１以上の送電装置ＩＤのみを最終的に選択してもよい。給電性能に基づいて送電装置ＩＤを選択する手法は何ら限定されるものではなく、下記の例に示すように様々な手法が考えられる。
【００６１】
例えば、検索部１２は電力効率が閾値Ｔａ以上（例えばＴａ＝９０（％））の送電装置ＩＤのみを選択してもよいし、平均充電量が閾値Ｔｂ以上（例えばＴｂ＝３．０（ｋＷ・ｓ））の送電装置ＩＤのみを選択してもよい。あるいは、検索部１２はエラー確率が閾値Ｔｃ未満（例えばＴｃ＝５（％））の送電装置ＩＤのみを選択してもよいし、許容位置ずれ量が閾値Ｔｄ以上（例えばＴｄ＝８０ｍｍ以上）の送電装置ＩＤのみを選択してもよい。あるいは、検索部１２は給電に成功したことがない送電装置ＩＤ（すなわち、エラー確率が１００％である送電装置ＩＤ）を除外してもよい。あるいは、検索部１２は電力効率、平均充電量、または許容位置ずれ量が最も高い１以上の送電装置ＩＤのみを選択してもよいし、エラー確率が最も低い１以上の送電装置ＩＤのみを選択してもよい。
【００６２】
あるいは、検索部１２は給電性能に関する複数の項目に基づいて送電装置ＩＤを選択してもよい。例えば、検索部１２は電力効率が閾値Ｔａ以上でありかつ平均充電量が閾値Ｔｂ以上である送電装置ＩＤのみを選択してもよい。あるいは、検索部１２は平均充電量が閾値Ｔｂ以上でありかつエラー確率が閾値Ｔｃ未満である送電装置ＩＤのみを選択してもよい。あるいは、検索部１２は電力効率が閾値Ｔａ以上であり、エラー確率が閾値Ｔｃ未満であり、かつ許容位置ずれ量が閾値Ｔｄ以上である送電装置ＩＤのみを選択してもよい。送電装置ＩＤを絞り込むための、給電性能に関する項目の組合せは、利用履歴内の任意の２以上の項目から成る。
【００６３】
あるいは、検索部１２は、給電性能の各項目（電力効率、平均充電量、エラー確率、および許容位置ずれ量）のいずれかを任意の手法で点数化してその総合得点が閾値Ｔｅ以上である送電装置ＩＤのみを選択してもよい。点数化の対象となる、給電性能に関する項目の組合せは、利用履歴内の任意の２以上の項目から成る。
【００６４】
履歴記憶部１１を参照した結果、送電装置ＩＤを一つも選択できなかった場合には、充電ステーションの検索のために、検索部１２は装置テーブル２２から抽出した送電装置ＩＤのすべてを最終的に選択してもよい。なお、送電装置ＩＤを一つも選択できない場面として、利用履歴のレコードが全く存在しない場合や、給電性能に関する閾値を満たす送電装置ＩＤが存在しない場合などが考えられる。
【００６５】
検索部１２は１以上の送電装置ＩＤを指定させるためのユーザ・インタフェースをユーザに提示し、ユーザがそのユーザ・インタフェースを介して選択した送電装置ＩＤのみを保持してもよい。履歴記憶部１１を用いない場合には、検索部１２は装置テーブル２２から抽出した送電装置ＩＤを選択肢としてユーザに提示する。これにより、ユーザは、例えば、自宅に設置した送電装置と同じＩＤの送電装置を選択することができる。また、受電装置と送電装置との全ての組合せにおいて互換性がある場合には、検索部１２は、全ての送電装置ＩＤを選択肢としてユーザに提示してもよい。履歴記憶部１１を用いる場合には、検索部１２は利用履歴に基づいて選択した送電装置ＩＤを選択肢としてユーザに提示してもよいし、履歴記憶部１１を参照する前にユーザに好みの送電装置ＩＤを指定させ、指定された送電装置ＩＤの中から、利用履歴に基づいて最終的に１以上の送電装置ＩＤを選択してもよい。
【００６６】
このように、充電ステーションを検索するための送電装置ＩＤを選択する手法は様々である。いずれにしても、１以上の送電装置ＩＤを選択すると、検索部１２はその送電装置ＩＤに対応する１以上の充電ステーションをステーションテーブル２１から抽出する。充電ステーションの抽出方法は一つに限定されず、様々な手法が考えられる。
【００６７】
例えば、検索部１２は、特定した送電装置ＩＤの少なくとも一つに対応する充電ステーションをステーションテーブル２１から抽出してもよい。ステーションテーブル２１が図４に示すデータを記憶しているとして、検索部１２は、選択された送電装置ＩＤが「１１１」であれば充電ステーションＡ，Ｂ，Ｄ，Ｅを抽出し、選択された送電装置ＩＤが「１１２」「１１３」であれば充電ステーションＡ，Ｃを抽出し、選択された送電装置ＩＤが「１１１」「１１２」「１１４」であれば充電ステーションＡ〜Ｅを抽出する。
【００６８】
あるいは、検索部１２は送電装置ＩＤ以外の他の条件も用いて充電ステーションを抽出してもよい。例えば、検索部１２は、選択された送電装置ＩＤに対応し、かつユーザにより指定された単価またはキャンペーンの基準値を満たす充電ステーションをステーションテーブル２１から抽出してもよい。価格に関する基準の例として、「単価がＸ円以下であること」が挙げられる。また、キャンペーン（サービス）に関する基準の例として、「会員割引が適用されること」が挙げられる。もちろん、価格およびキャンペーン（サービス）に関する条件はこれらに限定されない。あるいは、検索部１２は、選択された送電装置ＩＤの混雑度が１００％でない充電ステーション（すなわち、選択された送電装置に空きがある充電ステーション）をステーションテーブル２１から抽出してもよい。
【００６９】
検索部１２は最終的に抽出した充電ステーションの情報を検索結果として出力部１３に出力する。
【００７０】
出力部１３は、検索部１２により抽出された充電ステーションの位置情報を出力する機能要素である。出力部１３は、ＣＰＵ１０１が情報提供プログラムを実行して、主記憶部１０２または補助記憶部１０３に対するデータの読み書きを行い、出力装置１０６を制御することで実現される。
【００７１】
出力方法は限定されない。例えば、出力部１３は、ヒトが知覚できる態様でその位置情報を出力してもよい。例えば、出力部１３は充電ステーションの位置を画面上に表示してもよいし、スピーカから音声で出力してもよい。充電ステーションの位置情報を画面上に表示するのであれば、出力部１３は充電ステーションの位置を地図上に任意のマーク、記号、文字などで示してもよいし、地図を表示することなく位置情報をマーク、記号、文字などで示してもよい。あるいは、出力部１３は位置情報を通信ネットワーク経由で情報提供システム１以外の他のコンピュータシステム（図示せず）に向けて出力してもよいし、メモリやデータベース等の記憶装置に位置情報を格納してもよい。
【００７２】
本実施形態では、図７及び図８を用いて、カーナビゲーションシステムのようにその位置情報を地図上に表示するいくつかの態様を示す。
【００７３】
図７の例では、出力部１３は地図Ｍ上に端末１０の現在位置（または移動体Ｖの現在位置）をマークＭＣで表すと共に、カーナビゲーションシステムにより設定された案内ルートを矢印Ｍａで表している。出力部１３はさらにこの画面に、充電ステーションの位置を表すマーク（図７における囲み文字“Ｂ”，“Ｄ”，“Ｅ”，“Ｆ”を参照）を描画する。
【００７４】
出力部１３は、検索部１２により特定された充電ステーションのうちのどれを実際に画面に表示させるかを任意に決定してよい。例えば、出力部１３は表されている地図Ｍ内に存在するすべての充電ステーションの位置を表示してもよい。あるいは、出力部１３は端末１０の現在位置（または移動体Ｖの現在位置）から所定の範囲内（例えば、５００ｍ以内など）にある充電ステーションの位置を表示してもよい。あるいは、出力部１３は案内ルート上に存在する充電ステーションの位置のみを表示してもよく、この場合には、図７における充電ステーションＦのみが地図上に描画される。あるいは、出力部１３はバッテリ９３の残量（ＳＯＣ：Ｓｔａｔｅ  Ｏｆ  Ｃｈａｒｇｅ）に基づいて算出される走行可能距離の範囲内にある充電ステーションの位置、すなわち移動体Ｖが到達可能な充電ステーションの位置のみを表示してもよい。到達可能な充電ステーションの位置を示すことで、バッテリ９３が切れる前に立ち寄るべき充電ステーションをユーザに知らせることができる。
【００７５】
あるいは、出力部１３は、到達可能な充電ステーションの数が閾値Ｔｓ以下になった場合に、目的地を一番近い充電ステーションに設定し、その充電ステーションまでの経路を地図上に表示してもよい。図８はそのような経路設定の一例を示す。この例では、出力部１３は到達可能でかつ現在位置から最も近い充電ステーションＢへの経路Ｍａ’を表示するとともに、給電を促す旨のメッセージＲを画面上に表示している。なお、既に他の目的地への案内ルートが設定されている場合には、出力部１３は一時的に、その案内ルートを、最も近い充電ステーションへの経路に変更してもよい。このように、到達可能な充電ステーションへの案内ルートをユーザに提示することで、ユーザが移動体Ｖのバッテリ切れに遭遇する事態をより確実に防ぐことが可能になる。
【００７６】
（第２実施形態）
図９を用いて、第２実施形態に係る情報提供システム１Ａの機能および構成を説明する。第２実施形態が第１実施形態と異なるのは、端末が受電装置と通信することなく一連の処理を行うという点である。以下では、第２実施形態に特有の事項について詳細に説明し、第１実施形態と同様の事項については説明を省略する。
【００７７】
図９に示すように、情報提供システム１Ａは端末１０Ａおよびデータベース２０Ａを備える。
【００７８】
データベース２０Ａは、第１実施形態と同様のステーションテーブル２１を備える。本実施形態では、第１実施形態における装置テーブル２２を省略できる。
【００７９】
端末１０Ａは機能的構成要素として履歴記憶部１１、検索部１２Ａ、および出力部１３を備える。第１実施形態と機能が異なるのは検索部１２Ａなので、以下では検索部１２Ａについて説明する。
【００８０】
検索部１２Ａは、受電装置が給電を受けることが可能な送電装置が設置された充電ステーションを抽出する機能要素である。検索部１２Ａは、ＣＰＵ１０１が端末１０Ａにインストールされた情報提供プログラムを実行して、主記憶部１０２または補助記憶部１０３に対するデータの読み書きを行い、通信制御部１０４を制御することで実現される。検索部１２Ａは必要に応じて入力装置１０５および出力装置１０６も制御する。第１実施形態と同様に、検索部１２Ａの起動タイミングは限定されない。検索部１２Ａは、受電装置ＩＤを用いることなく充電ステーションの位置情報を取得する。
【００８１】
まず、検索部１２Ａは、過去に給電を受けたことがある１以上の送電装置ＩＤを履歴記憶部１１から抽出する。例えば、履歴記憶部１１が図６に示すデータを記憶しているとすれば、検索部１２Ａは送電装置ＩＤ「１１１」「１１２」「１１４」「１１６」を抽出する。なお、検索部１２Ａは給電に成功したことがない送電装置ＩＤ（すなわち、エラー確率が１００％である送電装置ＩＤ）を抽出対象から除外してもよい。あるいは、検索部１２Ａは検索部１２（第１実施形態）と同様に、給電性能が基準値を満たす１以上の送電装置ＩＤのみを選択してもよい。すなわち、検索部１２Ａは電力効率の閾値Ｔａ、平均充電量の閾値Ｔｂ、エラー確率の閾値Ｔｃ、および許容位置ずれ量の閾値Ｔｄの少なくとも一つを用いて送電装置ＩＤを選択してもよい。あるいは、検索部１２Ａは、給電性能のいずれかの項目に基づいて得られる総合得点が閾値Ｔｅ以上である送電装置ＩＤのみを選択してもよい。
【００８２】
検索部１２Ａは利用履歴に基づいて選択した送電装置ＩＤを選択肢としてユーザに提示してもよいし、履歴記憶部１１を参照する前にユーザに好みの送電装置ＩＤを指定させ、指定された送電装置ＩＤの中から、利用履歴に基づいて最終的に１以上の送電装置ＩＤを選択してもよい。この処理は第１実施形態と同様である。
【００８３】
１以上の送電装置ＩＤを選択すると、検索部１２Ａはその送電装置ＩＤに対応する１以上の充電ステーションをステーションテーブル２１から抽出する。送電装置ＩＤを用いて充電ステーションを抽出する方法は第１実施形態と同様である。したがって、検索部１２Ａは、単に送電装置ＩＤに対応する充電ステーションを抽出してもよいし、単価またはキャンペーンに関する基準値を満たす充電ステーションを抽出してもよいし、送電装置ＩＤ毎の混雑度も考慮して充電ステーションを抽出してもよい。
【００８４】
検索部１２Ａは最終的に抽出した充電ステーションの情報を検索結果として出力部１３に出力する。出力部１３での処理は第１実施形態と同様である。
【００８５】
（第３実施形態）
図１０及び図１１を用いて、第３実施形態に係る情報提供システム１Ｂの機能および構成を説明する。第３実施形態が第１実施形態と異なるのは、利用履歴が端末側にではなくデータベース側（中央側）に記憶されているという点である。したがって、本発明において利用履歴を記憶する装置の位置は何ら限定されるものではない。以下では、第３実施形態に特有の事項について詳細に説明し、第１実施形態と同様の事項については説明を省略する。
【００８６】
図１０に示すように、情報提供システム１Ｂは端末１０Ｂおよびデータベース２０Ｂを備える。端末１０Ｂは受電装置９２Ｂと通信する。
【００８７】
データベース２０Ｂは、第１実施形態と同様のステーションテーブル２１および装置テーブル２２を備えると共に、履歴テーブル２３を備える。
【００８８】
履歴テーブル２３は、各移動体の受電装置が過去に利用した送電装置を示す利用履歴の集合である。ステーションテーブル２１および装置テーブル２２と同様に、履歴テーブル２３は関係データベースでもよいしＣＳＶファイルでもよいし、他の形式で実装されてもよい。
【００８９】
利用履歴は、非接触給電システム９０において給電が完了した際に新規登録または更新される。例えば、送電装置が給電完了時に、送電装置および受電装置に関する情報と給電性能に関する結果とをデータベース２０Ｂに送信することで、その給電結果が履歴テーブル２３に反映される。
【００９０】
図１１に利用履歴の例を示す。利用履歴の各レコードは、給電に用いられた送電装置のＩＤと、給電を受けた受電装置のＩＤおよびシリアル番号（本明細書では「受電装置Ｓ／Ｎ」ともいう）と、その送電装置および受電装置間における給電性能の実績値とを含む。本実施形態では、その給電性能は、電力効率（％）、平均充電量（ｋＷ・ｓ）、および許容位置ずれ量（ｍｍ）のそれぞれについての過去の平均値と、エラー確率（％）とである。本実施形態では、利用履歴は受電装置ごとに分かれて記憶されるのではなく、１以上の受電装置に関する利用履歴が集約されて記憶されるので、個々の受電装置についての利用履歴を管理するために受電装置Ｓ／Ｎを用いる。図１１から、例えば、シリアル番号「０００００２」で識別される受電装置（受電装置ＩＤは「２０１」）が、ＩＤが「１１１」である送電装置とＩＤが「１１２」である送電装置とから給電を受けたことがわかる。
【００９１】
なお、履歴テーブル２３の構成は図１１の例に限定されない。例えば、利用履歴に他の項目を加えてもよいし、必要に応じて、図１１に示す項目の一部を省略してもよいし、利用履歴に対して任意の正規化または冗長化を行ってもよい。例えば、給電が行われる度に新しいレコードが履歴テーブル２３に登録されてもよい。この場合には、給電が行われた日時が利用履歴の項目として追加され、電力効率、平均充電量、および許容位置ずれ量の欄には一回一回の給電での結果が示される。また、エラー確率に代えて、給電が成功したか否かを示すエラーフラグが利用履歴の項目として設定される。電力効率の平均値、平均充電量の平均値、許容位置ずれ量の平均値、およびエラー確率は、送電装置ＩＤおよび受電装置Ｓ／Ｎの組合せが同じレコードを集計することで得られる。
【００９２】
第１実施形態と同様に、端末１０Ｂは受電装置９２Ｂと通信することで受電装置９２Ｂから必要な情報を得る。そこで端末１０Ｂについて詳細に説明する前に受電装置９２Ｂの機能構成を説明する。受電装置９２Ｂは機能的構成要素としてＩＤ記憶部９２１ＢおよびＩＤ提供部９２２Ｂを備える。
【００９３】
ＩＤ記憶部９２１Ｂは、受電装置９２ＢのＩＤおよびシリアル番号を記憶する機能要素であり、メモリにより実現される。受電装置Ｓ／Ｎは一台一台の受電装置を区別するための識別子である。
【００９４】
ＩＤ提供部９２２Ｂは、端末１０Ｂに受電装置ＩＤおよび受電装置Ｓ／Ｎを提供する機能要素であり、プロセッサが受電装置９２Ｂにインストールされた所定のプログラムを実行することで実現される。ＩＤ提供部９２２Ｂは端末１０Ｂから要求信号を受信すると、ＩＤ記憶部９２１Ｂから受電装置ＩＤおよび受電装置Ｓ／Ｎを読み出し、これらのデータを端末１０Ｂに送信する。なお、受電装置９２Ｂ（ＩＤ提供部９２２Ｂ）は、端末１０Ｂと通信接続が確立された場合に、端末１０Ｂから要求がなくても端末１０Ｂに受電装置ＩＤおよび受電装置Ｓ／Ｎを提供してもよい。
【００９５】
次に、端末１０Ｂの機能構成を説明する。端末１０Ｂは機能的構成要素として検索部１２Ｂおよび出力部１３を備える。
【００９６】
検索部１２Ｂは、受電装置が給電を受けることが可能な送電装置が設置された充電ステーションを抽出する機能要素である。検索部１２Ｂは、ＣＰＵ１０１が端末１０Ｂにインストールされた情報提供プログラムを実行して、主記憶部１０２または補助記憶部１０３に対するデータの読み書きを行い、通信制御部１０４を制御することで実現される。検索部１２Ｂは必要に応じて入力装置１０５および出力装置１０６も制御する。第１実施形態と同様に、検索部１２Ｂの起動タイミングは限定されない。
【００９７】
まず、検索部１２Ｂは、受電装置ＩＤおよび受電装置Ｓ／Ｎを取得するための要求信号を生成してこの信号を受電装置９２Ｂに送信し、この要求信号に応じて受電装置９２Ｂから送られてきた受電装置ＩＤおよび受電装置Ｓ／Ｎを受信する。続いて、検索部１２Ｂは、取得した受電装置ＩＤに対応する１以上の送電装置ＩＤを装置テーブル２２から抽出する。この処理により、受電装置９２Ｂに対応する送電装置が特定される。
【００９８】
検索部１２Ｂは、抽出した送電装置ＩＤをそのまま用いて充電ステーションを検索してもよい。あるいは、検索部１２Ｂは、履歴テーブル２３を参照して、抽出した送電装置ＩＤから１以上の送電装置ＩＤを選択し、選択した送電装置ＩＤのみを用いて充電ステーションを検索してもよい。以下に、履歴テーブル２３を参照して送電装置ＩＤを選択する手法を説明する。
【００９９】
検索部１２Ｂは、抽出した送電装置ＩＤと受電装置Ｓ／Ｎとの組合せに対応するレコードを履歴テーブル２３から読み出すことで、過去に利用した送電装置ＩＤを特定する。例えば、装置テーブル２２が図５に示すデータを記憶し、履歴テーブル２３が図１１に示すデータを記憶しているとする。この条件下で検索部１２Ｂが受電装置ＩＤ「２０３」および受電装置Ｓ／Ｎ「０００１１３」を取得した場合には、検索部１２Ｂはまず受電装置ＩＤ「２０３」に対応する送電装置ＩＤ「１１１」「１１２」「１１３」「１１４」を装置テーブル２２から抽出する。続いて、検索部１２Ｂはこれら４個の送電装置ＩＤと受電装置Ｓ／Ｎ「０００１１３」とに基づいて、少なくとも送電装置ＩＤ「１１２」を保持する。
【０１００】
検索部１２Ｂは給電に成功したことがない送電装置ＩＤ（すなわち、エラー確率が１００％である送電装置ＩＤ）を抽出対象から除外してもよい。あるいは、検索部１２Ｂは、給電性能が基準値を満たす１以上の送電装置ＩＤのみを選択してもよい。すなわち、検索部１２Ｂは電力効率の閾値Ｔａ、平均充電量の閾値Ｔｂ、エラー確率の閾値Ｔｃ、および許容位置ずれ量の閾値Ｔｄの少なくとも一つを用いて送電装置ＩＤのみを選択してもよい。あるいは、検索部１２Ｂは給電性能に関する複数の項目に基づいて送電装置ＩＤを選択してもよい。あるいは、検索部１２Ｂは、給電性能のいずれかの項目に基づいて得られる総合得点が閾値Ｔｅ以上である送電装置ＩＤのみを選択してもよい。
【０１０１】
履歴テーブル２３を参照した結果、送電装置ＩＤを一つも選択できなかった場合には、第１実施形態と同様に、充電ステーションの検索のために、検索部１２Ｂは装置テーブル２２から抽出した送電装置ＩＤを最終的に保持してもよい。
【０１０２】
第１実施形態と同様に、検索部１２Ｂは１以上の送電装置ＩＤを指定させるためのユーザ・インタフェースをユーザに提示し、ユーザがそのユーザ・インタフェースを介して選択した送電装置ＩＤのみを保持してもよい。履歴テーブル２３を用いない場合には、検索部１２Ｂは装置テーブル２２から抽出した送電装置ＩＤを選択肢としてユーザに提示する。履歴テーブル２３を用いる場合には、検索部１２Ｂは利用履歴に基づいて選択した送電装置ＩＤを選択肢としてユーザに提示してもよいし、履歴テーブル２３を参照する前にユーザに好みの送電装置ＩＤを指定させ、指定された送電装置ＩＤの中から、利用履歴に基づいて最終的に１以上の送電装置ＩＤを選択してもよい。
【０１０３】
１以上の送電装置ＩＤを選択すると、検索部１２Ｂはその送電装置ＩＤに対応する１以上の充電ステーションをステーションテーブル２１から抽出する。送電装置ＩＤを用いて充電ステーションを抽出する方法は第１実施形態と同様である。したがって、検索部１２Ｂは、単に送電装置ＩＤに対応する充電ステーションを抽出してもよいし、単価またはキャンペーンの基準値を満たす充電ステーションを抽出してもよいし、送電装置ＩＤ毎の混雑度も考慮して充電ステーションを抽出してもよい。
【０１０４】
検索部１２Ｂは最終的に抽出した充電ステーションの情報を検索結果として出力部１３に出力する。出力部１３での処理は第１実施形態と同様である。
【０１０５】
本実施形態における上記の説明では、利用履歴内での受電装置に関する項目として受電装置ＩＤおよび受電装置Ｓ／Ｎを用いたが、受電装置Ｓ／Ｎを用いることなく受電装置ＩＤのみにより受電装置を識別してもよい。例えば、送電装置との互換性または給電性能に基づく相性を、一台一台の受電装置ごとにではなく受電装置の型ごとに判断すれば足りるのであれば、受電装置Ｓ／Ｎを用いる必要はない。この変形では、履歴テーブル２３において受電装置Ｓ／Ｎの項目を省略できる。また、受電装置９２Ｂは受電装置ＩＤのみを記憶および提供すればよい。検索部１２Ｂは、その受電装置ＩＤを用いて上記と同様の処理を実行することで、充電ステーションの情報を得る。
【０１０６】
（第４実施形態）
図１２を用いて、第４実施形態に係る情報提供システム１Ｃの機能および構成を説明する。この第４実施形態は第３実施形態の更なる変形である。第４実施形態が第３実施形態と異なるのは、端末ではなくサーバが、検索部に相当する機能を備えるという点である。以下では、第４実施形態に特有の事項について詳細に説明し、第３実施形態と同様の事項については説明を省略する。
【０１０７】
図１２に示すように、情報提供システム１Ｃは端末１０Ｃ、データベース２０Ｂ、およびサーバ３０を備える。端末１０Ｃは受電装置９２Ｂと通信する。第３実施形態と異なる構成は端末１０Ｃおよびサーバ３０である。
【０１０８】
端末１０Ｃは、機能的構成要素としてデータ取得部１４および出力部１３を備える。
【０１０９】
データ取得部１４は、受電装置が給電を受けることが可能な送電装置が設置された充電ステーションの位置情報をサーバ３０から取得する機能要素である。データ取得部１４は、ＣＰＵ１０１が端末１０Ｃにインストールされた情報提供プログラムを実行して、主記憶部１０２または補助記憶部１０３に対するデータの読み書きを行い、通信制御部１０４を制御することで実現される。データ取得部１４の起動タイミングは限定されない。例えば、データ取得部１４は、ユーザが端末１０Ｃのユーザ・インタフェースを介して入力した指示に基づいて一連の処理を開始してもよいし、端末１０Ｃ内の他の機能要素（図示せず）から受け付けた指示信号に基づいて始動してもよい。
【０１１０】
まず、データ取得部１４は、受電装置ＩＤおよび受電装置Ｓ／Ｎを取得するための要求信号を生成してこの信号を受電装置９２Ｂに送信し、この要求信号に応じて受電装置９２Ｂから送られてきた受電装置ＩＤおよび受電装置Ｓ／Ｎを受信する。なお、データ取得部１４は、要求信号を生成および送信することなく、受電装置９２Ｂから受電装置ＩＤおよび受電装置Ｓ／Ｎを受信してもよい。続いて、データ取得部１４は受電装置ＩＤおよび受電装置Ｓ／Ｎを含む検索要求を生成し、この要求をサーバ３０に送信する。その後、データ取得部１４はその検索要求に応じてサーバ３０から送られてきた検索結果を受信する。この検索結果は、最終的に抽出された１以上の充電ステーションの位置情報を含む。データ取得部１４は受信した検索結果を出力部１３に出力する。出力部１３での処理は第３実施形態と同様である。
【０１１１】
一方、サーバ３０は、機能的構成要素として検索部３１を備える。サーバ３０のハードウェア構成は図２に示す端末の構成と同様であるが、当然ながら、搭載されるハードウェアモジュールは端末とは異なり得る。例えば、サーバ３０に搭載されるＣＰＵ、メモリ、ネットワークカードなどのモジュールは端末１０Ｃのものよりも高性能であり得る。サーバ３０の入力装置としては一般にキーボードおよびマウスが用いられ、出力装置としてはモニタが用いられる。サーバ３０の機能要素がハードウェアを用いてどのように実現されるかは、端末の場合と同様に考えることができる。
【０１１２】
検索部３１は、受電装置が給電を受けることが可能な送電装置が設置された充電ステーションを抽出する機能要素である。検索部３１は、ＣＰＵがサーバ３０にインストールされた情報提供プログラムを実行して、主記憶部または補助記憶部に対するデータの読み書きを行い、通信制御部を制御することで実現される。
【０１１３】
検索部３１は、端末１０Ｃから検索要求を受信すると、その検索要求に含まれる受電装置ＩＤに対応する１以上の送電装置ＩＤを装置テーブル２２から抽出する。この処理により、受電装置９２Ｂに対応する送電装置が特定される。
【０１１４】
検索部３１は、抽出した送電装置ＩＤをそのまま用いて充電ステーションを検索してもよい。あるいは、検索部３１は、履歴テーブル２３を参照して、抽出した送電装置ＩＤから１以上の送電装置ＩＤを選択し、選択した送電装置ＩＤのみを用いて充電ステーションを検索してもよい。以下に、履歴テーブル２３を参照して送電装置ＩＤを選択する手法を説明する。
【０１１５】
検索部３１は、抽出した送電装置ＩＤと、検索要求に含まれる受電装置Ｓ／Ｎとの組合せに対応するレコードを装置テーブル２２から読み出すことで、過去に利用した送電装置ＩＤを特定する。検索部３１は給電に成功したことがない送電装置ＩＤ（すなわち、エラー確率が１００％である送電装置ＩＤ）を抽出対象から除外してもよい。あるいは、検索部３１は給電性能が基準値を満たす１以上の送電装置ＩＤのみを選択してもよい。このように選択方法が限定されないことは第３実施形態と同様である。
【０１１６】
履歴テーブル２３を参照した結果、送電装置ＩＤを一つも選択できなかった場合には、充電ステーションの検索のために、検索部３１は装置テーブル２２から抽出した送電装置ＩＤを最終的に選択してもよい。これも第３実施形態と同様である。
【０１１７】
検索部３１は１以上の送電装置ＩＤを指定させるためのユーザ・インタフェースを端末１０Ｃ上に表示させ、ユーザがそのユーザ・インタフェースを介して選択した送電装置ＩＤのみを端末１０Ｃから受信してもよい。本実施形態ではこの処理のために端末１０Ｃとサーバ３０との間に通信が発生するが、その点以外は第３実施形態と同様である。
【０１１８】
１以上の送電装置ＩＤを選択すると、検索部３１はその送電装置ＩＤに対応する１以上の充電ステーションをステーションテーブル２１から抽出する。送電装置ＩＤを用いて充電ステーションを抽出する方法は第１実施形態と同様である。したがって、検索部３１は、単に送電装置ＩＤに対応する充電ステーションを抽出してもよいし、単価またはキャンペーンの基準値を満たす充電ステーションを抽出してもよいし、送電装置ＩＤ毎の混雑度も考慮して充電ステーションを抽出してもよい。検索部３１は最終的に抽出した充電ステーションの情報を検索結果として端末１０Ｃに送信する。
【０１１９】
以上、第１〜第４実施形態を示したが、これらの実施形態の処理は図１３のようにまとめることができる。図１３は、情報提供システム１，１Ａ，１Ｂ，１Ｃにより実行される、本発明に係る情報提供方法を示すフローチャートである。
【０１２０】
まず、少なくとも受電装置ＩＤまたは利用履歴に基づいて、１以上の送電装置ＩＤが抽出される（ステップＳ１１、検索ステップ）。例えば、利用履歴を用いることなく受電装置ＩＤに基づいて送電装置ＩＤが抽出されてもよいし、受電装置ＩＤを用いることなく利用履歴に基づいて送電装置ＩＤが抽出されてもよい。あるいは、受電装置ＩＤおよび利用履歴の双方に基づいて送電装置ＩＤが抽出されてもよい。利用履歴を用いる場合には、給電性能が一定の基準を満たす送電装置ＩＤのみが抽出されてもよい。送電装置ＩＤの抽出に関して様々な手法を取り得ることは、上記各実施形態を示して説明した通りである。
【０１２１】
続いて、抽出された送電装置ＩＤの少なくとも一つに対応する１以上の充電ステーションが抽出される（ステップＳ１２、検索ステップ）。充電ステーションの抽出について様々な手法を取り得ることは、上記各実施形態で示した通りである。
【０１２２】
そして、抽出された充電ステーションの位置情報が出力される（ステップＳ１３、出力ステップ）。例えば、図７及び図８に示すように、その位置情報は地図上に描画される。上記の通り、位置情報の出力方法は様々である。
【０１２３】
次に、図１４を用いて、情報提供システム１，１Ａ，１Ｂ，１Ｃを実現するための情報提供プログラムＰを説明する。
【０１２４】
情報提供プログラムＰは、メインモジュールＰ１０、履歴記憶モジュールＰ１１、検索モジュールＰ１２、および出力モジュールＰ１３を備える。メインモジュールＰ１０は、充電ステーション検索の機能を統括的に制御する部分である。履歴記憶モジュールＰ１１、検索モジュールＰ１２、および出力モジュールＰ１３を実行することにより実現される機能はそれぞれ、上記各実施形態における履歴記憶部、検索部（およびデータ取得部）、および出力部の機能と同様である。第４実施形態に係る情報提供システム１Ｃのように機能的構成要素が複数のコンピュータの間で分かれるのであれば、それぞれのコンピュータに、必要なモジュールが提供される。
【０１２５】
情報提供プログラムＰは、ＣＤ−ＲＯＭやＤＶＤ−ＲＯＭ、半導体メモリなどの有形の記録媒体に固定的に記録された上で提供されてもよい。あるいは、情報提供プログラムＰは、搬送波に重畳されたデータ信号として通信ネットワークを介して提供されてもよい。
【０１２６】
以上説明したように、本発明の一側面に係る情報提供システムは、移動体に搭載された受電装置と、１以上の充電ステーションに設置された１以上の送電装置とを備える非接触給電システムに関する情報を提供する情報提供システムであって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索部と、検索部により抽出された充電ステーションの位置情報を出力する出力部とを備える。
【０１２７】
本発明の一側面に係る情報提供方法は、移動体に搭載された受電装置と、１以上の充電ステーションに設置された１以上の送電装置とを備える非接触給電システムに関する情報を提供するコンピュータシステムにより実行される情報提供方法であって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索ステップと、検索ステップにおいて抽出された充電ステーションの位置情報を出力する出力ステップとを含む。
【０１２８】
本発明の一側面に係る情報提供プログラムは、移動体に搭載された受電装置と、１以上の充電ステーションに設置された１以上の送電装置とを備える非接触給電システムに関する情報を提供する情報提供システムとしてコンピュータを機能させる情報提供プログラムであって、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを参照することで、受電装置へ給電可能な送電装置が設置された充電ステーションの位置情報を抽出する検索部と、検索部により抽出された充電ステーションの位置情報を出力する出力部と、としてコンピュータを機能させる。
【０１２９】
このような側面においては、受電装置が過去に利用した送電装置、すなわちユーザが過去に選択した送電装置が設置された充電ステーションの位置情報が抽出されるので、ユーザの要求に合致する充電ステーションを提示することが可能になる。ユーザが過去に選択した送電装置であれば、その送電装置をユーザが再び利用しようとする蓋然性が高い。したがって、利用履歴を参照することで、充電ステーションの検索を何度もユーザに行わせることなく（言い換えれば、情報提供システム内で検索要求が何度も発生することなく）、ユーザが望むと思われる充電ステーションの位置を提示することができる。
【０１３０】
非接触給電システムでは、送電装置と受電装置との組み合わせが同じでも、送電装置が取り付けられた場所、受電装置が取り付けられた移動体の寸法、移動体の停止位置などの様々な要因により給電性能が変わり得る。例えば、送電装置が道路に埋め込まれているか否かや、車高などによって、給電性能は変わり得る。したがって、単に受電装置および送電装置の双方の規格だけを見るのではなく、実際に行われた給電の結果である利用履歴も参照することは有益である。利用履歴を用いることで、ユーザの要求に合致する送電装置（例えば、給電可能な送電装置や、自分が有する受電装置との相性が良い送電装置など）が設置された充電ステーションを該ユーザに提示することができる。
【０１３１】
他の側面に係る情報提供システムでは、ステーション情報が、各充電ステーションでの給電に関する価格またはサービスを更に示し、検索部が、受電装置へ給電可能な送電装置が設置され、かつ価格およびサービスの少なくとも一つが基準値を満たす充電ステーションの位置情報を抽出してもよい。一般に、給電のサービスを受ける際の価格またはサービスは移動体の利用者にとっての関心事である。したがって、価格またはサービスが基準値を満たす充電ステーションの位置情報をユーザに提供することで、情報提供システムの利便性が向上すると期待できる。
【０１３２】
他の側面に係る情報提供システムでは、利用履歴が、各送電装置の給電性能の実績値をさらに示し、検索部が、給電性能の実績値が基準値を満たす送電装置が設置された充電ステーションの位置情報を抽出してもよい。上述したように、非接触給電システムの給電性能は様々な要因により変動し得る。したがって、給電性能が一定の基準を満たす送電装置を有する充電ステーションの位置情報を提供することで、情報提供システムの利便性が向上すると期待できる。
【０１３３】
他の側面に係る情報提供システムでは、出力部が、抽出された充電ステーションの位置情報を地図上に表示してもよい。位置情報を地図上に表示することで、充電ステーションの位置をユーザに分かりやすく伝えることができる。
【０１３４】
他の側面に係る情報提供システムでは、出力部が、抽出された充電ステーションの位置情報のうち、移動体が到達可能な充電ステーションの位置情報のみを表示してもよい。移動体が到達できる充電ステーションのみを表示することで、移動体のバッテリ切れをより確実に回避することが可能になる。
【０１３５】
他の側面に係る情報提供システムでは、出力部が、移動体が到達可能な充電ステーションの個数が閾値以下になった場合に、該移動体の現在位置から一番近い充電ステーションへの経路を表示してもよい。到達可能な充電ステーションの数が少なくなった際に、一番近い充電ステーションへの経路を案内することで、移動体のバッテリ切れをより確実に回避することが可能になる。
【０１３６】
本発明の一側面に係る受電装置は、１以上の充電ステーションに設置された１以上の送電装置を備える非接触給電システムにおいて送電装置から給電を受けることが可能な、移動体に搭載された受電装置であって、受電装置を特定する受電装置ＩＤを記憶するＩＤ記憶部と、非接触給電システムに関する情報を提供する情報提供システムに受電装置ＩＤを出力するＩＤ提供部とを備え、情報提供システムが、充電ステーションの位置情報と該充電ステーションの送電装置との対応を示すステーション情報を記憶するステーション記憶部と、受電装置が過去に利用した１以上の送電装置を示す利用履歴を記憶する履歴記憶部とを、ＩＤ提供部から出力された受電装置ＩＤを用いて、参照することで、受電装置へ給電可能な送電装置が設置された充電ステーションの位置情報を抽出し、抽出された充電ステーションの位置情報を出力する。
【０１３７】
このような側面においては、受電装置が過去に利用した送電装置、すなわちユーザが過去に選択した送電装置が設置された充電ステーションの位置情報が抽出されるので、ユーザの要求に合致する充電ステーションを提示することが可能になる。また、受電装置ＩＤを用いることで、受電装置との相性が良いと推定される送電装置を確実に特定することが期待できる。
【０１３８】
以上、本発明をその実施形態に基づいて詳細に説明した。しかし、本発明は上記実施形態に限定されるものではない。本発明は、その要旨を逸脱しない範囲で様々な変形が可能である。
【０１３９】
上記第４実施形態は第３実施形態の変形であったが、検索部を端末にではなくサーバに設ける手法は、上記の第１実施形態または第２実施形態にも適用可能である。すなわち、端末が履歴記憶部を備える場合、あるいは受電装置ＩＤを用いない場合にも、サーバを設けて、そのサーバの検索部が充電ステーションを抽出してもよい。
【０１４０】
上記各実施形態では情報提供システムがデータベースを備えたが、データベースの配置態様はこれに限定されない。例えば、このデータベースは他の情報処理システムにあってもよく、端末が通信ネットワークを介してデータベースにアクセスできるのであれば、そのデータベースの所在は何ら限定されない。あるいは、端末がデータベースを備えてもよい。端末がデータベースを搭載することで、通信ネットワークを用いることなく充電ステーションの位置情報を抽出できる。端末がデータベースを備える場合には、そのデータベースは、最新のデータを得るために中央のデータベースと同期してもよい。
【符号の説明】
【０１４１】
Ｖ  移動体
１、１Ａ、１Ｂ、１Ｃ  情報提供システム
１０、１０Ａ、１０Ｂ、１０Ｃ  端末
１１  履歴記憶部
１２、１２Ａ、１２Ｂ  検索部
１３  出力部
１４  データ取得部
２０、２０Ａ、２０Ｂ  データベース
２１  ステーションテーブル
２２  装置テーブル
２３  履歴テーブル
３０  サーバ
３１  検索部
９０  非接触給電システム
９１  送電装置
９２、９２Ｂ  受電装置
９２１、９２１Ｂ  ＩＤ記憶部
９２２、９２２Ｂ  ＩＤ提供部
Ｐ  情報提供プログラム
Ｐ１０  メインモジュール
Ｐ１１  履歴記憶モジュール
Ｐ１２  検索モジュール
Ｐ１３  出力モジュール
【図１】
0006481344.tif 000002
【図２】
0006481344.tif 000003
【図３】
0006481344.tif 000004
【図４】
0006481344.tif 000005
【図５】
0006481344.tif 000006
【図６】
0006481344.tif 000007
【図７】
0006481344.tif 000008
【図８】
0006481344.tif 000009
【図９】
0006481344.tif 000010
【図１０】
0006481344.tif 000011
【図１１】
0006481344.tif 000012
【図１２】
0006481344.tif 000013
【図１３】
0006481344.tif 000014
【図１４】
0006481344.tif 000015